(57)【要約】  シェービング装置において、一つのハンドル（１０）は一つの本体部及び本体部から外側に突出する一つの端部（１２）を備える。一つの軸要素（２４）は前記端部に対し選択的な角運動を実施するため、前記端部（１２）に回転自在に連結する。一つの剃刀カートリッジ（３６）は前記軸要素に連結し、少なくとも部分的に露出する刃先を画定する少なくとも一つの剃刀刃を含む。剃刀カートリッジは前記軸要素と共に回転自在に移動し、移動止めは（３８、５８、６０）は前記軸要素を離脱可能に保持するよう備え、前記剃刀カートリッジは前記ハンドルに対しユーザが選択する角位置に配置される。【選択図】          図１０
2007519423.tif 000002
【特許請求の範囲】
【請求項１】
一つの本体部と前記本体部から外側に突出する一つの端部を持つ一つのハンドルと、
前記端部に対し選択的な角運動を実施するために前記端部に回転自在に連結する一つの軸要素と、
前記軸要素に連結し、少なくとも部分的に露出する刃先を画定する少なくとも一つの剃刀刃を含み、前記ハンドルに対し前記軸要素と共に回転自在に移動する一つの剃刀カートリッジと、
前記軸要素を前記ハンドルに対しユーザが選択する角位置に離脱可能なように保持する移動止め手段とを含む、
シェービング装置。
【請求項２】
前記ハンドルの前記端部が前記ハンドルの前記本体部と一体化する、請求項１記載のシェービング装置。
【請求項３】
前記端部が前記ハンドルの前記本体部により画定される一つ穴によって受け入れる外側に突出する拡張部を画定する、請求項１記載のシェービング装置。
【請求項４】
前記軸要素が前記端部により画定される一つの穴によって受け入れる回転自在の装着部分を含む、請求項１記載のシェービング装置。
【請求項５】
前記移動止め手段が、
前記軸要素の前記装着部分の周辺を等間隔で配置する少なくとも二つの凹部と、
前記端部内部に配置し、端部に対し移動し、前記凹部に係合するよう移動する移動止め要素と、
前記軸要素の前記装着部分に対し前記移動止め要素を垂直に配置するバイアス手段とを含むことを特徴とする、
請求項４記載のシェービング装置。
【請求項６】
一つの本体部と一つの端部を持つ一つのハンドルと、
前記ハンドルの前記端部により画定される一つの穴により受け入れる回転自在一つの装着部分を持つ一つの軸要素と、前記装着部分が少なくとも周辺に配置される二つの凹部を画定し、
前記軸要素に連結し、少なくとも部分的に露出する刃先を画定する少なくとも一つの剃刀刃を含み、前記軸要素と共に回転自在に移動する一つの剃刀カートリッジと、
前記端部内部に配置し、端部に対し移動し、前記凹部に係合するよう移動する一つの移動止め要素と、
前記軸要素の前記装着部分に対し前記移動止め要素を垂直に配置するバイアス手段とを含む、
シェービング装置。
【請求項７】
前記バイアス手段が前記端部により画定される第二の穴の内部に配置される一つのスプリングを含み、前記移動止め要素が、前記移動止め要素が前記凹部の一つと係合する時に、前記第二穴にスライドし部分的に配置し、前記第二穴から部分的に突出する、請求項５記載のシェービング装置。
【請求項８】
前記装着部分が周囲に配置する複数の凹部を画定し、前記カートリッジの回転を前記軸要素と前記ハンドルとの間をラチェットのような移動を生じさせ、前記バイアス手段により前記移動止め要素に対する力が次の連続する凹部に遭遇するまで前記凹部から前記移動止め要素を遠ざける、請求項５記載のシェービング装置。
【請求項９】
前記軸要素が前記剃刀カートリッジを離脱可能に連結する手段を含む、請求項１記載のシェービング装置。
【請求項１０】
前記剃刀カートリッジが前記軸要素に離脱可能に連結するための前記手段は、一組の外側に突出する装着アームを含み、各々の装着アームは前記剃刀カートリッジにより画定する結合面に離脱可能なように係合する一つの端部を画定し、前記軸要素が前記装着アームとの間に位置する一つのスロットを画定し、前記アームをお互いに弾性的に曲がることを特徴とする、請求項９記載のシェービング装置。
【請求項１１】
前記装着アームの前記端部が弓形の横棒の形状をなし、各端部が前記剃刀カートリッジにより画定される結合弓形スロットと係合するようスライドし、前記剃刀カートリッジが前記軸要素に対し中立位置及び全回転した位置との間で回転する、請求項１０記載のシェービング装置。
【請求項１２】
シェービング操作中に前記剃刀カートリッジに生じる力に応じて、前記剃刀カートリッジを垂直に前記中立位置に配置するバイアス手段を含む、請求項１１記載のシェービング装置。
【請求項１３】
一つの本体部と一つの端部を持つ一つのハンドルと、
前記端部に対し選択的な角運動を実施するために前記端部に回転自在に連結する一つの軸要素と、
少なくとも部分的に露出する刃先を画定する少なくとも一つの剃刀刃を含む一つの剃刀カートリッジと、
前記軸要素は一組の外側に突出する装着アームを含み、各アームは前記剃刀カートリッジにより画定される一つの結合面により離脱可能に係合する一つの端部を画定し、前記軸要素はさらに前記装着アーム間の一つのスロットを画定することにより、お互いに弾性に曲げることを可能とし、
前記端部内部に配置し、端部内部に対し移動し、前記凹部に係合するよう移動する戻りつめ要素と、
前記軸要素を離脱可能に保持し前記ハンドルに対しユーザが選択する角位置に前記剃刀カートリッジを配置する移動止め手段を含む、
シェービング装置。
【請求項１４】
前記剃刀カートリッジが、少なくとも部分的に露出する第一刃先を画定する少なくとも一つの第一剃刀刃と、少なくとも部分的に露出する第二刃先を画定する少なくとも一つの第二剃刀刃とを含み、前記第一剃刀刃と前記第二剃刀刃はシェービング操作の間、前記剃刀カートリッジがユーザの皮膚上を一般的に対向する方向の内一つの方向に移動する際に剃毛するように配置される、請求項１記載のシェービング装置。
【発明の詳細な説明】
【技術分野】
【０００１】
関連出願の相互参照
本願は、２００３年６月２５日に出願された米国仮特許６０／４８２,５３４に開示された本質的な内容は参照によって本明細書に組み込まれる。
【０００２】
発明の分野
本発明は、一般的にシェービング装置に係わり、特に剃刀カートリッジがカートリッジに連結されたハンドルに対し、ラチェットのように移動する剃刀に関する。
【背景技術】
【０００３】
最新の湿式シェープ剃刀において、一般に剃刀カートリッジに装着される剃刀刃を使用し、剃刀刃は剃刀の一部を形成するハンドルに対しほぼ垂直に位置付けられる軸を中心に旋回又は回転する。このように構成される湿式シェーブ剃刀は固定するカートリッジを用いる剃刀と比べて、より良くユーザの肌の輪郭に沿わせることができる。特に、固定式の剃刀では、脇の下のような箇所を剃る際に、適切な位置にあてることが困難である。このような箇所において深剃り感を達成するためには、剃刀カートリッジ、即ち露出した剃刀刃をシェーブする全ての面を沿わせるよう窮屈な位置にユーザの手をあてがう必要がある。したがって、ユーザに対し、剃刀カートリッジをシェーブする面にあてる際にユーザの腕又は手をねじり窮屈な姿勢とならないようにする、湿式シェーブ剃刀が必要である。
【０００４】
前述した湿式シェーブ剃刀に関連するもう一つの問題として、剃刀カートリッジを一方向にあてる場合のみ剃毛できることである。この結果、ユーザは一連のシェーブ動作において剃刀を再配置することが必要である。これは、シェービング時間を増やし、シェービングそのものに不快感を生じさせる可能性がある。
【発明の開示】
【発明が解決しようとする課題】
【０００５】
以上の点に鑑みて、本発明の一般的目的は、従来の湿式シェーブ剃刀に付随する問題点及び欠点を改良し、解決するシェービング装置を提供することである。
【課題を解決するための手段】
【０００６】
本発明は、本体部及びその本体部から外側に突出する端部を持つハンドルを含むシェービング装置を備える。軸要素は、軸要素に対し選択された角運動を実施するよう端部に回転自在に連結する。さらに、剃刀カートリッジが提供され、少なくとも部分的に露出する刃先を画定する少なくとも一つの剃刀刃を含む。剃刀カートリッジは、回転するよう軸要素に連結される。移動止め手段は、ハンドルに対し選択された角度位置において軸要素を離脱可能なように保持する。したがって、シェービング操作中に、ユーザがハンドルに対し異なる位置において、剃刀カートリッジを選択的に回転する場合、移動止め手段はカートリッジを所望の位置において離脱可能なように保持する。
【０００７】
本発明の一態様において、軸要素は装着部分を含み、装着部分は回転自在で、剃刀ハンドルの端部により画定される穴の内部で受け入れることが可能である。移動止め手段は、少なくともその一部分が、装着部分の周辺に配置された少なくも２つの凹部により画定される。さらに、移動止め手段は複数の凹部に係合可能に移動できる移動止め要素を含む。バイアス手段は、移動止め要素を軸要素の装着部分に向けて通常に配置するの備える。したがって、カートリッジの回転は軸要素とハンドル間をラチェットのように移動させる。ここにおいて、バイアス手段が移動止め要素上に及ぼす力を克服し、移動止め要素を、次の連続する凹部に遭遇するまで凹部から遠ざける。
【０００８】
本発明のもう一つの態様において、剃刀カートリッジは、少なくとも部分的に露出する第一の刃先を画定する少なくとも一つの第一の剃刀刃及び少なくとも部分的に露出する第二の刃先を画定する少なくとも一つの第二の剃刀刃を含む。第一及び第二の剃刀刃は、シェービング操作中に、剃刀カートリッジがユーザの肌を一般的に対向する何れかの方向に移動するにつれて剃毛するよう配置される。
【発明の効果】
【０００９】
本発明の一つの利点として、剃刀カートリッジが所望する位置に回転でき、移動止め手段がその位置においてカートリッジを離脱可能に保持することである。これにより、ユーザは、彼又は彼女の手又は腕をねじり窮屈な姿勢になることはなく、通常は到達するのが困難な箇所をシェーブすることが可能である。  
【００１０】
本発明のもう一つの利点として、一態様において、ユーザは剃刀カートリッジを所望する位置に配置することができ、一般的に対向する何れかの方向に剃刀を移動するにつれてユーザの肌を剃毛することである。
【発明を実施するための最良の形態】
【００１１】
図１に図示されるように、一般的に参照番号１０により示された剃刀ハンドルは第一穴１４を画定する端部１２を含む。図示された実施態様において、ハンドル１０は、一般的にシェービング操作中にしっかりとハンドルを握れるように、一組の対向するくぼみ１６を含む。ハンドル１０の端部１２は第二穴１８を画定し、その目的は後述されるが、第一穴１４に実質的に垂直であり、交差するように配置する。
【００１２】
図２を参照すると、ハンドル１０の端部１２は、ハンドル１０の本体部２２に突き出る拡張部２０を含む個体として示されている。しかしながら、本発明においてこの点に関して限定されず、ハンドル１０及び端部１２は単一の物質から構成することができる。  
【００１３】
図３−図５に図示されるように、一般的に参照番号２４により示された軸要素は、装着部分２６を含む。装着部分２６は後述されるように、図１及び図２の第一穴１４の内部で回転するよう配置される。穴の縁２８は装着部分２６の一部を形成し、さらに装着部分の周辺を等間隔で配置する複数のＶ字形状の溝３０を含む。溝３０は等間隔で示され説明されているが、本発明はこの点において限定されず、本発明の広範の範囲を逸脱することなく、溝は不等間隔に配置することができる。さらに、Ｖ字形状の溝３０が示され説明されているが、本発明はこの点において限定されず、他の形状の溝又は球状のくぼみを用いることができる。
【００１４】
軸要素２４は、お互いに離れており実質上平行に配置されている一組の弓形の横棒３２を含む。後述されるように、横棒はハンドル上の剃刀カートリッジを離脱可能に保持するよう適応させている。軸要素２４は、Ｔ字形状として実施態様に図示されるようにスロット３４を画定し、横棒３２をお互いに弾性的に曲がるようにしている。横棒の屈曲動作は、剃刀カートリッジをカートリッジ固定器具に離脱可能なように装着する。一組の弓形の横棒３２が示され、説明されているが、本発明はこの点に限定されず、本発明の広範な範囲を逸脱することなく、柱又は長方形ピン等の他のカートリッジ装着部の構成を軸要素に組み込みことができる。さらに、Ｔ字形状のスロット３４が示され、説明されているが、本発明はこの点において限定されず、横棒３２がお互いに曲げることができれば、如何なる形状のスロットに代替することが可能である。  
【００１５】
図６−図８に図示されるように、一般に参照番号３６によって示された剃刀カートリッジ本体は一組の装着拡張部３８を含み、装着拡張部３８はカートリッジ本体４０から外側に向けて突出し、実質上並行で離れて配置される。図８にて最適に図示されるように、各々の装着拡張部は、スロット４２（一つのみしか図示されていないが）を画定し、弓形の横棒３２の少なくとも一部分をスライドして受け入れるように適応し及び補完する形状をなし、剃刀カートリッジ３６をハンドル１０上に離脱可能なように保持する。中央リブ４４も、その目的は後述されるが、カートリッジ本体４０から外側に突出し、装着拡張部３８の間で実質的に平行に配置される。さらに、剃刀カートリッジ本体３６は、周辺端部４８により画定される凹部４６及び、その目的は後述されるが、一般的に対向し相隔たる一組の段部分５０を含む。
【００１６】
図９−図１１に示されるように、一般に参照番号５２によって示された剃刀組立体は、ハンドル１０の上部１２の穴１４内部に回転自在に配置する軸要素２４の装着部２６を有する。図１０及び１１により最適に示されるように、剃刀カートリッジ挿入部５４は図７の凹部４６に配置される。さらに、一般的に対向する複数の対の刃５６を含み、剃刀５２が一般的に対向する２方向の内いずれかの方向を移動する際に毛深い肌をシェーブする。しかしながら、本発明はこの点において限定されず、剃刀カートリッジ挿入部５４は単一又は複数の刃を含むことができ、単一方向及び双方向のシェービングを可能とする。
【００１７】
図１１を参照すると、ボール５８及びスプリング６０は、ハンドル１０の上部１２によって画定される穴１８の内部に配置される。ボール５８及びスプリング６０は各々栓６２を介して穴１８内部に保持される。操作の間、ボール５８は軸要素２４の装着部分２６に配置させ、溝３０の一つに係合するので、剃刀カートリッジ３６を所定の位置に離脱可能なように保持する。剃刀カートリッジ本体３６を異なる位置に回転するために、スプリング６０のバイアス力は、次の連続する溝３０に遭遇するまで、ボール５８を穴１８にスライドする力を克服する必要がある。このようにして、軸要素２４とハンドル１０との間にラチェットのような動作を達成することができる。
【００１８】
第二ボール６４及び第二スプリング６６は固定器具７０によって画定される穴６８内部に挿入される。固定器具７０は装着要素２６に伸長され、第二栓７２は第二ボール６４及び第二スプリング６６を各々穴６８内部に保持する。第二スプリング６６は、第二ボール６４を上述した中央リブ４４に配置させ、軸要素２４に回転自在に連結する剃刀カートリッジ本体３６を中立位置に配置する。
【００１９】
図１２−図１４に示されるように、剃刀カートリッジ本体は図１０−１２に図示された位置から９０度回転される。さらに、剃刀カートリッジ挿入部５４は、段部分５０と係合し、一般的に対向する一組のタブ７４を含む。これにより、剃刀カートリッジ挿入部は剃刀カートリッジ本体３６により保持される。図１５及び１６を再び参照することにより、図９及び図１２に示された位置の間に配置した剃刀カートリッジが示されている。
【００２０】
本発明は、特定の好ましい形態を参照してかなり詳細に説明されているが、その他の形態が考えられる。したがって、本発明の精神及び範囲は本明細書に記載された好ましい形態の説明に限定されるべきではない。
【図面の簡単な説明】
【００２１】
【図１】本発明の一態様の部分を形成するハンドルの正面図である。
【図２】線２−２に沿った図１のハンドルの断面図である。
【図３】本発明の一態様の部分を形成する軸要素の正面図である。
【図４】図３の軸要素の側面図である。
【図５】図３の軸要素の斜視図である。
【図６】本発明の一態様の部分を形成する剃刀カートリッジの背面図である。
【図７】図６の剃刀カートリッジの側面図である。
【図８】図６の剃刀カートリッジの斜視図である。
【図９】剃刀ハンドルに実質的に垂直であるカートリッジを持つ本発明の剃刀の背面図である。
【図１０】線１０−１０に沿った図９の剃刀の断面図である。
【図１１】線Ａより囲まれた図１０の剃刀の部分的に拡大した断面図である。
【図１２】９０度回転したカートリッジを持つ本発明の剃刀の背面図である。
【図１３】線１３−１３に沿った図１３の剃刀の断面図である。
【図１４】線Ｂより囲まれた図１２の剃刀の部分的に拡大した断面図である。
【図１５】角度α度回転したカートリッジを持つ本発明の剃刀の背面図である。
【図１６】図１５の剃刀の斜視図である。
【図１】
2007519423.tif 000003
【図２】
2007519423.tif 000004
【図３】
2007519423.tif 000005
【図４】
2007519423.tif 000006
【図５】
2007519423.tif 000007
【図６】
2007519423.tif 000008
【図７】
2007519423.tif 000009
【図８】
2007519423.tif 000010
【図９】
2007519423.tif 000011
【図１０】
2007519423.tif 000012
【図１１】
2007519423.tif 000013
【図１２】
2007519423.tif 000014
【図１３】
2007519423.tif 000015
【図１４】
2007519423.tif 000016
【図１５】
2007519423.tif 000017
【図１６】
2007519423.tif 000018
【国際調査報告】
2007519423.tif 000019
2007519423.tif 000020
2007519423.tif 000021